(57)【要約】【課題】患者の個人情報を保護すると共に、操作者を特定するための簡便かつセキュリティ強度を高くする。【解決手段】  Ｓ１１０でスタートし、Ｓ１１１で現在のアクセス制限レベルを取得し、Ｓ１１２でレベル０の場合はＳ１１７に進みアクセス制限を実行しない。Ｓ１１２でアクセス制限レベルが０でない場合にはＳ１１３へ進み、アクセス制限のログイン画面を表示する。Ｓ１１４でユーザＩＤとパスワードの入力後にＳ１１５に進み、ユーザ認証がなされるとＳ１１６に進みアクセス制限レベルを０にリセットし、Ｓ１１７でプログラム処理を終了する。  Ｓ１１５でユーザ認証が成功しない場合、或いはユーザＩＤとパスワードの入力がない場合にはＳ１１２に戻り、Ｓ１１５までの処理を繰り返す。この間、タイマ割り込みによってアクセス制限レベルが更新されるので、アクセス制限画面を更新してセキュリティ強度を上げることができる。【選択図】図１５
2006326187.tif 000002
【特許請求の範囲】
【請求項１】
装置を操作する操作者の情報の入力を指示する入力指示手段と、該入力した操作者情報を認証する認証手段と、操作者が一定時間操作しなかった場合に前記操作を制限する第１のアクセス制限手段と、検査の状態に応じて前記操作者情報の入力項目を変更し検査再開を支援する支援手段とを備えたことを特徴とするＸ線撮影装置。
【請求項２】
操作者を識別するためのユーザ管理手段を備え、操作者の識別情報と共に予め設定した前記第１のアクセス制限手段の少なくとも２つ以上のアクセス制限レベルを記憶する記憶手段を有することを特徴とする請求項１に記載のＸ線撮影装置。
【請求項３】
前記検査の特徴又は撮影部位に応じてアクセス制限レベルを決定しアクセスを制限する第２のアクセス制限手段を有することを特徴とする請求項１又は２に記載のＸ線撮影装置。
【請求項４】
第１のＸ線撮影から第２のＸ線撮影をする間の撮影時間間隔を計測する手段と、予め設定した前記第１のアクセス制限手段のアクセス制限レベルを記憶する手段とを有し、前記撮影時間間隔に応じて自動的に前記アクセス制限レベルを変更しセキュリティ強度を向上することを特徴とする請求項２に記載のＸ線撮影装置。
【請求項５】
装置を操作する操作者の操作を制限するプログラムであって、検査の状態と操作者の撮影間隔に応じて操作者の入力項目を変更するステップをコンピュータに実行させることを特徴とするＸ線撮影装置のアクセス制限方法。
【請求項６】
操作者を識別するステップと、少なくとも２つ以上のアクセス制限レベルを記憶手段から取得するステップとを有し、検査の種別に応じて前記アクセス制限を変更するステップとをコンピュータに実行させることを特徴とする請求項５に記載のＸ線撮影装置のアクセス制限方法。
【請求項７】
第１のＸ線撮影から第２のＸ線撮影をする間の撮影時間間隔を計測するステップと、予め設定した前記アクセス制限のレベルを記憶手段から取得するステップと、前記撮影時間間隔に応じて自動的に前記アクセス制限レベルを変更し、セキュリティ強度を向上させるステップとを前記コンピュータに実行させることを特徴とする請求項６に記載のＸ線撮影装置のアクセス制限方法。
【発明の詳細な説明】
【技術分野】
【０００１】
本発明は、デジタルＸ線撮影システムのアクセス制限を実行するＸ線撮影装置及びそのアクセス制限方法に関するものである。
【背景技術】
【０００２】
従来から医用診断を目的としたＸ線撮影には、増感紙とＸ線写真フィルムを組み合わせたフィルムスクリーンシステム（以下、Ｆ／Ｓと云う）が広く用いられている。医師から依頼された撮影オーダはＸ線フィルムとして医師に戻され、医師はこのフィルム画像をシャウカステンに掛けて観察する。そのため、撮影に失敗したフィルムは、診断に使用されず写損フィルムとして廃棄されている。
【０００３】
このＦ／Ｓに代り、Ｘ線エネルギを蓄積する輝尽性蛍光体から画像信号を取得するＸ線撮影システムや、Ｘ線の強度に比例した電気信号に変換する平面検出器（ＦＰＤ；Flat Panel Detector）を採用したデジタルＸ線撮影装置が近年では使用されている。
【０００４】
デジタル撮影装置では患者情報保護の立場から、特に写損時に撮影した操作者を特定するため、撮影者の名前を画像データに付帯させるように要望されている。ＣＴ、ＭＲ等の装置においては操作者が頻繁に交代しない上、１個の検査時間が長いため、従来のパーソナルコンピュータ（ＰＣ）やワークステーションのログイン操作を流用し、使用者が席を離れる場合にはログアウトをする。
【０００５】
この場合に、アプリケーションは継続して利用できないので、検査中のデータはハードディスク（ＨＤ）上のデータベースに一時的に保存し復帰する。使用中の状態を保持して、復帰したい場合には、例えば特許文献１のようにマウスやキーボードを一定時間操作しない時間が或る設定値を越えると、パスワードの入力が必要なスクリーンセーバを起動するようにし、想定外の第三者に操作されることを防ぐようにしている。
【０００６】
この場合に、例えば図１６に示すログイン画面１を表示し、Ｘ線撮影装置の操作者である放射線技師を特定するために、ユーザ名或いはユーザＩＤを画面の入力部１ａに入力し、そのユーザを認証するパスワードを入力部１ｂから入力する。
【０００７】
この図１６においてはボタン１ｃをクリックすると、図１７に示すように候補名１ｄを表示し自己の名前を選択ができる。これは一見すると便利であり、一般のＰＣのログイン画面でも使用されている。しかし、或る候補名１ｄの中から選択し、それに対するパスワードを入力するだけで使用権を与えてしまうと実質上パスワードだけを総当りで試みればよいだけなので、セキュリティ強度が低いシステムとなってしまう。
【０００８】
また、ＰＣのログイン実装でよく見られる例として、図１８に示すユーザＩＤ入力部１ｅのように、前回使用していたユーザＩＤだけが残っている場合がある。更には、Ｗｅｂページでよく見られる例としては、図１９に示すチェックボックス１ｆを選択しておくと、パスワード１ｇをＰＣ内部にデータとして保存するため、ＯＫボタン１ｈだけをクリックすればログインできるようになっている。
【０００９】
これらは、一人のユーザがＰＣを使用するという前提があるため、毎回入力をすることが不便であることから考慮された実装形態である。これも前述したように、セキュリティ強度が低いシステムであり、このように操作者の利便性を追及してゆくと、セキュリティ強度が低くなる。
【００１０】
また、最近の個人情報漏洩の事件は、内部者の犯行によるものが殆どであり、セキュリティ強度を上げるには、指紋認証やＸ線撮影装置の操作室への入退室に厳重なアクセス制限を必要とするなどして、コストを相当かけなければ効果が出難くなっている。
【００１１】
しかしＸ線撮影装置では、ＰＣのように特定の個人が使うわけではなく、複数の操作者が入れ代りながら使用するため、例えば名札にバーコードを付加し、検査前にこのバーコードを操作者が読み込ませると、システムの制御プログラムがデータベースからＸ線撮影装置を使う権限があるかどうかを確認し、本人認証をする方法がある。しかし、バーコードは簡単にコピーが可能なので、同様にバーコードだけではセキュリティ強度が低く、結局パスワード入力と併用する必要がある。
【００１２】
ところが、病院のスペースや経営的には多大なコストを、リスク管理のために用いるわけにもゆかず、低コストでユーザ認証によるアクセス制限をし、患者の個人情報を守る必要がある。
【００１３】
Ｘ線撮影装置では、放射線技師Ａが検査中に他の技師Ｂに交代することがあるが、ＰＣのログイン機能を利用する場合に、一旦技師Ａがログアウトして検査中の撮影データをＨＤに退避する必要がある。その上で、技師Ｂがログインし、検査データを引き継ぎ続行するようにしなければならない。ところが、ＰＣのログインは例えば１分近く掛かってしまうので、検査を再開するまで待ちきれず、その結果、技師Ａがログインしたままで、技師Ｂが使用することになってしまうことがある。つまり、確実に操作者を特定するためには、ユーザ切換えの手間を簡略化し、迅速な切換えが可能なＸ線撮影装置が求められている。
【００１４】
【特許文献１】特開２００４−８９３１２号公報
【発明の開示】
【発明が解決しようとする課題】
【００１５】
しかしながら、Ｆ／Ｓで行われた一般撮影をデジタル化した装置においては、１回の検査時間が短く検査数が多いため、複数の操作者が入れ代りながら撮影装置を共用し、撮影後に面倒なのでログアウトせずに運用してしまうことが多い。つまり、前述したような方法がなじまず、ＰＣやワークステーションで元々付属しているログイン機能があっても使用が制限される場合がある。
【００１６】
しかし、「何時、誰が」被検者を撮影したかを記録に残すため、正確かつ簡便なログイン機能が必要とされている。これを実現するためには様々な手法があるが、例えばＩＤとパスワードを入力するという基本的な方法から、ＩＣカードやバーコードを使う、或いは生体認証等の方法があり、便利さと正確さに比例してコストが高くなる。
【００１７】
また、検査中に操作者がＸ線撮影を一時的に中断し、Ｘ線撮影装置のコンソール前を離れたときに、被検者の個人情報、例えば氏名、検査情報、画像等が表示されたままになる場合があり、Ｘ線撮影装置の使用を許可されてない人、即ちアクセス権のない人にこれらの情報が漏洩する虞れがある。
【００１８】
本発明の目的は、操作者を特定して復帰する機能を実現するＸ線撮影装置及びそのアクセス制限方法を提供することにある。
【課題を解決するための手段】
【００１９】
上記目的を達成するための本発明に係るＸ線撮影装置の技術的特徴は、装置を操作する操作者の情報の入力を指示する入力指示手段と、該入力した操作者情報を認証する認証手段と、操作者が一定時間操作しなかった場合に前記操作を制限する第１のアクセス制限手段と、検査の状態に応じて前記操作者情報の入力項目を変更し検査再開を支援する支援手段とを備えたことにある。
【００２０】
また、本発明に係るＸ線撮影装置のアクセス制限方法の技術的特徴は、装置を操作する操作者の操作を制限するプログラムであって、検査の状態と操作者の撮影間隔に応じて操作者の入力項目を変更するステップをコンピュータに実行させることにある。
【発明の効果】
【００２１】
本発明に係るＸ線撮影装置及びそのアクセス制限方法によれば、操作者を特定して復帰する機能を実現するＸ線撮影装置及びそのアクセス制限方法を提供することができる。
【発明を実施するための最良の形態】
【００２２】
本発明を図示の実施例に基づいて詳細に説明する。
【実施例１】
【００２３】
図１は実施例に係るＸ線撮影装置のシステム構成を示すブロック図である。医療用デジタルＸ線撮影装置１０においては、内部バス１１を介して、画像を蓄積する画像読取制御部１２、制御プログラムを格納するＲＡＭ１３ａと画像一時格納用のＲＡＭ１３ｂを備えたＲＡＭ１３、制御プログラムを実行するＣＰＵ１４、ディスクＩ／Ｆ（インタフェース）１５、外部装置との通信用ＬＡＮ  Ｉ／Ｆ１６、ユーザＩ／Ｆ１７が接続されている。
【００２４】
また、画像読取制御部１２にはデータ線１０ａを介して蛍光体及び大画面光電変換装置を備えたＦＰＤ１８の出力が接続され、ディスクＩ／Ｆ１５には制御プログラム及び撮影画像を蓄えるハードディスク（ＨＤ）１９が接続され、ユーザＩ／Ｆ１７には表示用ディスプレイ装置２０、キーボード、マウス等の操作部２１が接続されている。
【００２５】
更に、曝射スイッチ２２の出力はＸ線発生装置制御部２３を経て、ＦＰＤ１８の前面に位置する被検者に対してＸ線を照射するＸ線管球２４に接続されている。また、Ｘ線発生装置制御部２３の出力は同期信号線１０ｂを介して画像読取制御部１２に接続されている。
【００２６】
ＬＡＮ  Ｉ／Ｆ１６にはＬＡＮ２５を介して、ＰＡＣＳ（Picture Archive and Communication System）２６、オーダリング装置２７、医用画像プリンタ２８、画像ビュワ装置２９が接続されている。
【００２７】
Ｘ線撮影装置１０において、制御プログラムをＨＤ１９から読み込み、ＲＡＭ１３ａ上でＣＰＵ１４により動作させる。先ず、Ｘ線撮影装置１０を使用する放射線技師は、操作部２１を用いてログインを行う。病院のセキュリティ管理として、何時、誰がどのような操作をしたかを特定しなければならないので、或る技師が別の技師になりすまして撮影をすることを防ぐため、図２に示すディスプレイ装置２０のログイン画面３０においてユーザ名とパスワードを入力する。
【００２８】
ユーザの認証が成功しログイン操作が終わると、ＣＰＵ１４は図示しない放射線科情報システム（ＲＩＳ）からの撮影オーダ情報をＬＡＮ２５上のオーダリング装置２７から受信する。本実施例では、受信した撮影オーダ情報の一覧をユーザＩ／Ｆ１７を介して、ディスプレイ装置２０に図３に示す画面４０のように表示する。
【００２９】
Ｘ線撮影装置１０の操作者である放射線技師が、画面４０の検査項目４０ａをマウスで選択すると、ＣＰＵ１４が実行するＲＡＭ１３ａの制御プログラムは例えば図４に示すように、ディスプレイ装置２０の表示を画面５０に変化させ、受信した撮影オーダ情報を表示する。
【００３０】
ＣＰＵ１４は図３で選択した検査項目４０ａを操作者に提示するため、検査中は被検者情報５０ａ、例えば氏名、ＩＤ、性別、生年月日等を表示する。また、受信した撮影部位５０ｂで構成される撮影項目をボタンの形式として表示する撮影条件表示部５０ｃ、Ｘ線撮影装置１０のシステム状態表示部５０ｄが設けられている。
【００３１】
ＣＰＵ１４はシステム制御プログラムを実行し、撮影部位５０ｂの撮影オーダ情報１番目の「胸部正面」ボタンを選択状態にする。操作者は撮影すべき被検者をＦＰＤ１８とＸ線管球２４との間に位置させ、撮影部位５０ｂに従った姿勢に整位する。その間に、制御プログラムによりＣＰＵ１４はＦＰＤ１８に電圧を加え、ＦＰＤ１８でＸ線撮影が行えるように準備し、ＦＰＤ１８がＸ線撮影可能な状態になることを検知すると、システム状態表示部５０ｄにＲＥＡＤＹと表示し、操作者表示部５０ｅには検査中の操作者の名前を表示する。
【００３２】
操作者は画面を確認後に曝射スイッチ２２を押し、Ｘ線を発生させるトリガをシステムに入力する。この曝射スイッチ２２より発生する曝射信号は、同期信号線１０ｂを介して画像読取制御部１２に入力される。画像読取制御部１２では、ＦＰＤ１８が撮影可能状態となっているかデータ線１０ａを介して確認した後に、曝射許可信号を発生する。この曝射許可信号はＸ線発生装置制御部２３に戻され、Ｘ線発生装置制御部２３はＸ線管球２４からＸ線を照射させる。
【００３３】
Ｘ線の照射後に、被検者を透過したＸ線を蛍光体を介してＦＰＤ１８でデジタルデータとして取得し、画像読取制御部１２に転送する。ＣＰＵ１４は制御プログラムを実行し、ユーザＩ／Ｆ１７を介してディスプレイ装置２０を図５に示す画面６０のように変化させる。
【００３４】
ＣＰＵ１４は画像読取制御部１２から取得した画像データを画面６０の画像表示部６０ａに表示し、撮影実施情報としてＸ線発生装置制御部２３から線量値を受信し、線量値表示部６０ｂに表示すると共にＨＤ１９に記憶する。画像表示部６０ａに表示される画像の自動濃度調整を操作者が変更しようとする場合に、操作者は濃度調整パラメータ６０ｃを調節することで撮影画像の濃度を変更できる。
【００３５】
操作者は図５に示す画面６０で撮影済み画像の確認を終えると、次の撮影を行うために、画面上の次撮影ボタン６０ｄをクリックする。これに対してＣＰＵ１４はプログラムを実行し、図４に示す画面５０に戻し、オーダされた次の撮影部位５０ｂの選択をユーザＩ／Ｆ部１６で検知し、撮影オーダの全てが完了するまで、操作者に前述と同様の撮影フローを繰り返し実行する。撮影オーダを全て完了すると画面６０に戻り、次の未撮影オーダが存在しないので、ＣＰＵ１４は次撮影ボタン６０ｄを「検査終了」に変化させる。操作者が次撮影ボタン６０ｄを押すことで、その被検者の検査を終了することができる。
【００３６】
Ｘ線撮影装置１０で検査終了が指示されると、制御プログラムはＨＤ１９に記憶した撮影条件、撮影実施情報をオーダリング装置２７に送信する。制御プログラムは予め決められた通信プロトコルに従い、オーダリング装置２７に検査の撮影が終了したことを伝える。この際に、撮影が行われた撮影条件と、照射線量等の撮影実施情報を伝える。
【００３７】
また、撮影済み画像は前述の撮影条件や撮影実施情報を付帯情報とした画像データとしてＤＩＣＯＭ（Digital Imaging Communication in Medicine）と呼ばれる医療用の標準通信プロトコルに従って、外部装置、例えば図１に示す医用画像プリンタ２８や、ＰＡＣＳ２６に出力し、撮影オーダを出した医師は、出力されたフィルムや、画像ビュア装置２９で表示した画像を診断に使用する。撮影済み画像には種々の検査情報や画像の属性情報が画像ヘッダとして付帯しており、技師名を保存する場所も定義されている。付帯情報はＰＡＣＳ２６側に保存されているので、医師が画像ビュア装置２９を操作し、撮影した技師名を表示させることも可能である。
【００３８】
操作者が図５に示す操作者表示部６０ｅをクリックすると、図６に示す使用者交代のログイン画面７０を表示する。一時的に撮影を中断する場合は、ロックボタン７０ａをクリックし、別の技師に交代する場合には交代ボタン７０ｂをクリックする。また、検査画面に戻る場合は、キャンセルボタン７０ｃをクリックする。
【００３９】
図６に示すロックボタン７０ａをクリックした場合は、検査中でありながら緊急の用事、例えば電話に出る場合であり、図７に示すログイン画面８０に遷移し、パスワード入力部８０ｂを空白にするアクセス制限をし、この状態をアクセス制限レベル２と定義する。また、図６で交代ボタン７０ｂをクリックした場合には、画面８０で他の操作者に交代させるために、ユーザＩＤ入力部８０ａ、パスワード入力部８０ｂをクリアする。この状態をアクセス制限レベル３と定義する。
【００４０】
ここで、例えば技師の田中武から技師の鈴木二郎に交代をする場合には、ユーザＩＤ入力部８０ａにｓｕｚｕｋｉと入力し、それに対応するパスワードをパスワード入力部８０ｂに入力する。図８に示すユーザ管理ＤＢ９０と合致すれば認証がなされ、図９に示す画面１００で検査を引き継ぐことができ、画面１００の操作者表示部１００ａに鈴木二郎と表示される。ユーザＩＤやパスワードが間違っており、ユーザの認証に失敗した場合には、図１０に示すログイン画面１１０のようにエラーを表示し、検査を再開できないことを操作者に知らせる。
【００４１】
また、ＦＰＤ１８がＲＥＡＤＹ状態のまま検査を一時中断しておくと、ＦＰＤ１８の寿命が劣化するため、一定時間の例えば５分間を経過後に、ＦＰＤ１８に印加していた電圧を下げ、休止状態に遷移させるように制御する。その場合に、何時までもアクセス制限を残しても仕方ないので、図１１に示すログイン画面１２０の状態から図７に示すログイン画面６０の状態にアクセス制限レベルを変更する。つまり、ＦＰＤ１８の動作状態に対応させて、セキュリティのアクセス制限レベルをレベル２からレベル３に変更するように制御する。
【００４２】
このように、検査中のアクセス制限の方法について述べたが、検査間のアクセス制限も同様である。操作者が検査後に図４に示す画面５０の撮影終了ボタン５０ｆをクリックして検査を終了すると、図３に示す画面４０に戻り、次の検査選択画面に遷移する。この例では、放射線技師田中武は操作者表示部４０ｂでログイン継続中であることを示している。
【００４３】
ここで、別の技師に交代する可能性があるが、検査後もＸ線撮影装置を継続して使用する場合に、次の検査を選択してＸ線撮影を続行できる。ＣＰＵ１４が実行する動作プログラムにより、図３の操作者表示部４０ｂに操作中の技師名を表示させているので、別の操作者が交代を指示させるときは、操作者表示部４０ｂをクリックして図６に示す画面７０に遷移する。
【００４４】
このように、検査で操作者の交代について説明してきたが、一定時間経過した場合の操作者のアクセスを制限する場合には、前述したようにＰＣのログイン中にアクセス制限をするとき、ロック機能付きのスクリーンセーバを使用することが多い。
【００４５】
ところが、スクリーンセーバのアクセス制限を解除できるのは、ログインしている使用者本人か管理者の何れかであり、その他の使用者には権限がない。また設定時間内に操作部２１を操作しないと、スクリーンセーバを動作させてしまう。検査中に患者の姿勢を整位しているうちに、自動的にタイマでログアウトしては操作性が悪く、タイマの設定時間を短く設定しているときは、無意味にマウスを動かしてタイマの動作をリセットさせるように操作しなければならない。
【００４６】
一方で、設定時間を単純に１０分間のように延長しておくと、仮に操作者が電話の他用で席を外したときにロックやログアウトをし忘れると、前述のタイマが働くまで第三者がＸ線撮影装置へのアクセス可能になり、被検者の個人情報を覗かれる可能性があり好ましくない。従って、なるべくは設定時間が短い方がセキュリティ上は好ましいが、その反面で何度もログイン操作を要求されるので不便になる。
【００４７】
そこで、再開までの操作を短くするために、例えば図１２の行１に示すような設定時間で、アクセス制限レベルを変更するように制御する。例えば、一般の検査中には通常の操作画面は図４から図１２の設定時間ａに示した１分経過後に、図１３に示すログイン画面１３０のようにアクセス制限し、更に次の設定時間ｂに設定した５分間内に撮影を実施する。
【００４８】
撮影が実施されなければ図１１に示したアクセス制限レベル２のログイン画面１２０に制御を変更し、更に次の設定時間ｃの１０分まで撮影を実施しないと、図７に示すアクセス制限レベル３のログイン画面８０に遷移するように制御する。この場合に、ＰＣのスクリーンセーバのように操作部２１の操作でタイマを延長するようにはせず、予め設定した時間内にＸ線撮影が実行されないと、状態を遷移するように制御する。
【００４９】
また、車椅子の被検者や固定装具を必要とする撮影や、小児で姿勢の整位に時間を要する場合や、造影剤撮影等の通常よりも時間を要する場合は、図１２の行２に示すように特殊検査用の設定値を使用し、前述の時間よりもアクセス制限を変化させる時間を長く設定する。検査と検査の間の場合も同様に制御し、Ｘ線撮影装置をアクセス制限が低い状態で放置しておく時間が短くなるように制御を行う。
【００５０】
図１４は制御プログラムによってＸ線撮影を実行すると共に、操作者のアクセス制限を実行するために、１秒毎に発生するタイマ割り込みのフローチャート図を示している。検査の有無に拘らず、１秒毎にＣＰＵ１４が割り込み処理を実行するために、ステップＳ１００でタイマ割り込みがなされると、ステップＳ１０１で現在のタイマ値を更新する。つまり、図１２に示すアクセス制限レベルと装置の状態からタイムアウト値を取得し、現在のタイマ値と比較する。
【００５１】
ステップＳ１０２で現在のタイマ値が大きい場合には、ステップＳ１０３に進み、アクセス制限レベルを１つ増加させ、ステップＳ１０４で割り込みルーチンを終了する。ステップＳ１０２でタイマが満了していない場合にはステップＳ１０４に進み終了する。
【００５２】
図１５は撮影プログラムのアクセス制限を実行する手順のフローチャート図である。通常の撮影処理を実行するプログラムと同時に、このアクセス制限プログラムは動作している。ＣＰＵ１４が実行するプログラムは、ステップＳ１１０でスタートし、ステップＳ１１１で現在のアクセス制限レベルを取得し、ステップＳ１１２でレベル０の場合はステップＳ１１７に進み、アクセス制限を実行しない。
【００５３】
ステップＳ１１２でアクセス制限レベルが０でない場合には、ステップＳ１１３に進み、アクセス制限の画面、即ちログイン画面を表示する。続いて、ステップＳ１１４でユーザＩＤとパスワードの入力待ちをする。入力後にステップＳ１１５に進み、ユーザ認証がなされると判定がＹｅｓになるので、ステップＳ１１６に進みアクセス制限レベルを０にリセットする。アクセス制限レベルを０にし、タイマ値を０にリセットするのは、初期化時と撮影が実行された後と、ユーザ認証がなされた場合であり、ステップＳ１１７でアクセス制限プログラム処理を終了する。
【００５４】
ステップＳ１１５でユーザ認証が成功しない場合、或いはユーザＩＤとパスワードの入力がない場合には、ステップＳ１１２に戻り、ステップＳ１１５までの処理を繰り返す。この間、図１４に示したタイマ割り込みによってアクセス制限レベルが更新されるので、前述したように図１１のログイン画面１２０、図７のログイン画面８０に示すようにアクセス制限画面を更新して、セキュリティ強度を上げることができる。
【００５５】
この実施例においては、制御プログラムをＨＤ１９に記憶しておき、ＲＡＭ１３ａに転送しＣＰＵ１４で実行する場合について説明したが、これに限定されるものではなく、任意の記憶媒体を用いて実現してもよい。また、同様の動作をする回路で実現してもよい。
【００５６】
実施例では、操作者をユーザＩＤとパスワードを入力させて識別をしたが、コストを問題視しなければ、指紋や虹彩等のバイオメトリックス（生体認証）を採用した識別方法の方がより安全性が高く、アクセス制限状態からの復帰に関して操作性が良いシステムを構築できる。また、病院内で運用する名札にバーコードやＩＣタグを付加したものを使用し、Ｘ線撮影装置１０を使用するときに操作者の認証に使用するようにしてもよい。何れの場合においても、検査状態や撮影部の状態に応じて、アクセス制限状態を変化させるように制御することには変りない。
【００５７】
なお、本実施例は複数の機器から構成されるシステムに適用しても、１つの機器から成る装置に適用してもよい。前述した実施例の機能を実現するソフトウェアのプログラムコードを記録した記録媒体を、システム或いは装置に供給し、そのシステム或いは装置のコンピュータが記録媒体に格納されたプログラムコードを読み出し実行することによっても、達成されることは云うまでもない。この場合に、記録媒体から読み出されたプログラムコード自体が前述した実施例の機能を実現することになり、そのプログラムコードを記録した記録媒体は本発明を構成することになる。
【００５８】
プログラムコードを供給するための記録媒体としては、例えばフロッピディスク、ＨＤ、光ディスク、光磁気ディスク、ＣＤ−ＲＯＭ、ＣＤ−Ｒ、磁気テープ、不揮発性のメモリカード、ＲＯＭなどを用いることができる。
【００５９】
また、コンピュータが読み出したプログラムコードを実行することにより、前述した実施例の機能が実現されるだけでなく、そのプログラムコードの指示に基づいて、コンピュータ上で稼働しているＯＳなどが実際の処理の一部又は全部を行い、その処理によって前述した実施例の機能が実現される場合も含まれる。
【００６０】
更に、記録媒体から読み出されたプログラムコードが、コンピュータに挿入された機能拡張ボードやコンピュータに接続された機能拡張ユニットに備わるメモリに書き込まれた後に、そのプログラムコードの指示に基づいて、その機能拡張ボードや機能拡張ユニットに備わるＣＰＵなどが実際の処理の一部又は全部を行い、その処理によって前述した実施例の機能が実現される場合も含まれることは云うまでもない。
【００６１】
なお本実施例では、前述した実施例の機能を実現するソフトウェアのプログラムコードを記録した記憶媒体から、そのプログラムをインターネット等の通信ラインを介して要求者にそのプログラムを配信する場合にも適用可能である。
【００６２】
以上の説明では、本発明の好ましい実施例としたが、本発明はこれらの実施例に限定されないことは云うまでもなく、その要旨の範囲内で種々の変形及び変更が可能である。
【図面の簡単な説明】
【００６３】
【図１】実施例のブロック回路構成図である。
【図２】操作者を特定するためのログイン画面の正面図である。
【図３】Ｘ線撮影装置が取得した撮影オーダ一覧の画面の正面図である。
【図４】Ｘ線撮影システムのディスプレイ画面の正面図である。
【図５】表示部の撮影後の画面の正面図である。
【図６】Ｘ線撮影装置の使用を中断指示する場合のログイン画面の正面図である。
【図７】Ｘ線撮影装置のアクセス制限のログイン画面の正面図である。
【図８】操作者データのデータベースの説明図である。
【図９】Ｘ線撮影装置の操作者を交代したときの画面の正面図である。
【図１０】ユーザの認証に失敗したときのログイン画面の正面図である。
【図１１】Ｘ線撮影装置のアクセス制限のログイン画面の正面図である。
【図１２】Ｘ線撮影装置の検査状態と、アクセス制限のレベル設定の保存例の説明図である。
【図１３】Ｘ線撮影装置のアクセス制限のログイン画面の正面図である。
【図１４】タイマ割り込みのフローチャート図である。
【図１５】Ｘ線撮影処理と並行してアクセス制限をするフローチャート図である。
【図１６】従来例の表示部の操作者ログイン画面の正面図である。
【図１７】従来例の表示部の操作者ログイン画面の正面図である。
【図１８】従来例の表示部の操作者ログイン画面の正面図である。
【図１９】従来例の表示部の操作者ログイン画面の正面図である。
【符号の説明】
【００６４】
１０  Ｘ線撮影装置
１２  画像読取制御部
１３  ＲＡＭ
１４  ＣＰＵ
１５  ディスクＩ／Ｆ
１６  ＬＡＮ  Ｉ／Ｆ
１７  ユーザＩ／Ｆ
１８  ＦＰＤ
１９  ＨＤ
２０  表示用ディスプレイ装置
２１  操作部
２２  曝射スイッチ
２３  Ｘ線発生装置制御部
２４  Ｘ線管球
２５  ＬＡＮ
２６  ＰＡＣＳ
２７  オーダリング装置
２８  医用画像プリンタ
２９  画像ビュア装置
３０、７０、８０、１１０、１２０、１３０  ログイン画面
４０、５０、６０、９０、１００  画面
【図１】
2006326187.tif 000003
【図２】
2006326187.tif 000004
【図３】
2006326187.tif 000005
【図４】
2006326187.tif 000006
【図５】
2006326187.tif 000007
【図６】
2006326187.tif 000008
【図７】
2006326187.tif 000009
【図８】
2006326187.tif 000010
【図９】
2006326187.tif 000011
【図１０】
2006326187.tif 000012
【図１１】
2006326187.tif 000013
【図１２】
2006326187.tif 000014
【図１３】
2006326187.tif 000015
【図１４】
2006326187.tif 000016
【図１５】
2006326187.tif 000017
【図１６】
2006326187.tif 000018
【図１７】
2006326187.tif 000019
【図１８】
2006326187.tif 000020
【図１９】
2006326187.tif 000021